(57)【要約】【課題】  重量のある薄型表示装置を強固に支えることができ、薄型表示装置が卓上や壁面など少なくとも２種類の配置に対応でき、壁掛け型に変更する際、支持部分が前面からみて隠れることが可能な技術を提供する。【解決手段】  薄型表示装置において、重量の大きいフラットディスプレイパネル１の裏面と直接固定されたシャーシ４に固定した固定部材５と支持装置である支柱８を接続することで、前記薄型表示装置全体を支える構造とした。また、本発明の支持装置は薄型表示装置の視聴時に目立たないよう、前記支持装置である支柱８及びベースプレート７が薄型表示装置本体の裏側へ移動し、前面から見て隠れるような機構を有する。【選択図】図１
2009216739.tif 000002
【特許請求の範囲】
【請求項１】
フラットディスプレイパネルと、該フラットディスプレイパネルの裏面側に取り付けられたシャーシとを備えた表示装置において、
前記シャーシに結合された固定部材と、支柱と、前記固定部材と前記支柱の一端側とを回動可能なように互いに接続するためのリンク部と、前記支柱の他端側と回動可能に接続されるベースプレートと、を有することを特徴とする表示装置。
【請求項２】
請求項１に記載の表示装置において、
前記固定部材、前記支柱及び前記リンク部は、それぞれ２つずつ備えており、前記ベースプレートはその底面が平板状であり、前記２つの支柱は、前記ベースプレートを挟持するように回動可能に接続されることを特徴とする表示装置。
【請求項３】
請求項１に記載の表示装置において、
前記固定部材とは別の固定部材を更に備え、前記ベースプレートを前記表示装置の下方から指示するためのスタンドとして使用する場合には、前記支柱が前記別の固定部材に固定されることを特徴とする表示装置。
【請求項４】
請求項１乃至３のいずれかに記載の表示装置において、
前記ベースプレートを回転させて前記支柱とほぼ平行な状態とし、前記支柱を前記リンク部にて移動させることにより、前記ベースプレートが前記表示装置の背面に隠れるように構成されることを特徴とする表示装置。
【請求項５】
請求項１または２に記載の表示装置において、
前記支柱を前記リンク部にて移動させると、前記支柱に設けられた前記固定部材と固定するためのネジ穴が露出されることを特徴とする表示装置。
【請求項６】
フラットディスプレイパネルと、該フラットディスプレイパネルの裏面側に取り付けられたシャーシとを備えた表示装置において、
前記シャーシに結合された固定部材と、該固定部材とスライド可能に接続された支柱と、該支柱の前記固定部材が接続される側とは反対側の端部に回動可能に接続されたベースプレートと、を有することを特徴とする表示装置。
【請求項７】
請求項６に記載の表示装置において、
前記ベースプレートを回転させて、前記支柱とほぼ平行な状態とし、前記支柱をスライドさせて移動させることにより、前記ベースプレートが前記表示装置の背面に隠れるように構成されることを特徴とする表示装置。
【請求項８】
請求項６または７に記載の表示装置において、
前記支柱をスライドさせて移動させると、前記支柱に設けられた前記固定部材と固定するためのネジ穴が露出されることを特徴とする表示装置。
【発明の詳細な説明】
【技術分野】
【０００１】
本発明は、フラットディスプレイパネルを用いた表示装置に関し、詳しくは表示装置を用途に応じて卓上もしくは壁面など少なくとも２箇所の位置に設置を可能とするための改良が為された表示装置に関する。
【背景技術】
【０００２】
近年、テレビなどの民生用途の表示装置においては、例えばプラズマディスプレイパネル（ＰＤＰ）や液晶ディスプレイ（ＬＣＤ）などのようなフラットディスプレイパネルを用いた表示装置（以下、「薄型表示装置」と呼ぶ場合もある）が主流となりつつある。薄型表示装置は、従来のブラウン管テレビと比べ薄型であることから、テレビ台などの上（卓上）に設置して視聴する用途だけでなく、壁面に掛けて視聴する用途が増えてきている。薄型表示装置を卓上に設置する場合、「卓上スタンド」と呼ばれるような卓上型の支持装置を薄型表示装置本体に取り付けて使用していた。また、薄型表示装置を壁に掛けて設置する場合、「壁掛け金具」と呼ばれるような壁掛け型の支持装置を薄型表示装置本体に取り付けて使用していた。すなわち、使用者の用途に合わせて卓上スタンドか壁掛け金具のどちらかを選択して支持装置を薄型表示装置本体に取り付けいた。
【０００３】
一般的には、使用者は薄型表示装置を購入する際に、卓上スタンドか壁掛け金具のどちらかを選択している。そのため、途中で設置形態を例えば卓上に設置した状態から壁面に掛けて設置する状態に変更する場合、別途、壁掛け金具を購入する必要があり、使用者にとっても経済的な負担が掛かる。
【０００４】
そこで、下記特許文献１に記載されているような一つの支持装置で壁掛けもしくは卓上にも設置可能な構造を有する支持装置が提案されている。これは薄型表示装置本体に支柱を回動可能に取り付けたものであり、支柱及び台板の向きを変えることによって、壁掛け、もしくは卓上に設置可能な構造となっている。
【０００５】
【特許文献１】特開２００３-２６３１１６号公報
【発明の開示】
【発明が解決しようとする課題】
【０００６】
上記特許文献１の実施例１に示される薄型表示装置においては、支持装置の支柱が薄型表示装置本体の外装部（前枠）で保持される構造である。外装部は通常、意匠性を重視した部材が多く、内部で構造を支える部材より強度が劣っている場合が多い。このため、大画面の薄型表示装置に適用した場合、薄型表示装置本体の重量が大きいと、保持部に加わる負荷によって外装部が変形し、外観が損ねられる可能性がある。
【０００７】
また、薄型表示装置はデザイン性も重視され、視聴する際に薄型表示装置本体以外が大きく目立つことはデザイン上好ましくない。上記特許文献１の第１の実施例では、支持装置を目立たなくすることについて考慮されておらず、視聴時に支柱などの支持装置の一部が目立ってしまう。
【０００８】
上記問題を避けるためには、上記特許文献１の実施例２のように、薄型表示装置本体の裏面側に突起部を設けて、その突起部で支持装置の支柱を保持する方法が考えられる。
【０００９】
上記特許文献１の実施例２に記載の薄型表示装置では、薄型表示装置本体が支柱の回動中心となるネジのみで固定されている。よって、使用中にネジが緩んだ場合、薄型表示装置本体が動いてしまうという問題がある。また、ネジが緩んだ状態で長期にわたって使用すると、最終的にはネジが抜けて薄型表示装置本体が落下し、破損する可能性もある。ネジの緩み防止のために、接着剤などの緩み防止剤にてネジを固定する方法もあるが、その場合、卓上設置から壁掛け設置などの設置形態を変更することが困難になる。
【００１０】
さらには、上記薄型表示装置では、支柱と薄型表示装置本体との接触面積が近いため、重量の大きな大画面化への対応が困難である。
【００１１】
本発明は上記課題に鑑みて為されたものであり、重量のある大画面な薄型表示装置本体を強固に支えることができ、薄型表示装置が卓上設置や壁面設置の２通りの設置が可能で、さらには薄型表示装置本体以外の部材の露出が最小となる技術を提供するものである。
【課題を解決するための手段】
【００１２】
本発明の薄型表示装置は、フラットディスプレイパネルの裏面側にシャーシを配置し、前記シャーシに固定部材を結合するとともに固定部材には支柱の一端側がリンクにて接続回動可能にされており、更にその支柱の他端側には、ベースプレートを回動可能に接続した構造としたことを特徴とする。また、上記固定部材とは別の固定部材をシャーシに取り付け、上記ベースプレートを、表示装置を卓上配置するときのスタンドとして使用する場合には、上記支柱を固定部材及び別の固定部材に例えばネジ等により固定するようにしてもよい。また、表示装置を壁掛け設置する場合には、上記支柱を移動させるとともに上記ベースプレートを回動することで、ベースプレートを表示装置の背面に隠れるように構成する。
【発明の効果】
【００１３】
本発明によれば、大画面化によって重量が大きくなっている薄型表示装置本体を強固に支えることが可能となる。
【００１４】
また、支柱およびベースプレートが可動する構造をもつことにより、支持装置を取り変えることなく、卓上への設置と壁面への設置が簡易的に可能となる。
【００１５】
また、支持装置を卓上型から壁掛け型に変更する際、ベースプレートが薄型表示装置の背面に移動することにより、壁掛け状態で薄型表示装置本体以外の部材が目立たなくなる。
【発明を実施するための最良の形態】
【００１６】
以下、本発明の実施形態について図面を参照しながら詳細に説明する。
【実施例１】
【００１７】
本発明の第一の実施形態についてフラットディスプレイパネルがＰＤＰの場合の薄型表示装置を例にとり、図面を参照して説明する。図１、２は本発明の実施例１に係る薄型表示装置をテレビ台など（図示せず）の卓上に設置した状態を示す斜視図であり、図１は表示面側から見た図、図２は裏面側から見た図である。
【００１８】
図１、２において、１はフラットディスプレイパネル、２は前記フラットディスプレイパネル１を納める筐体の前方部である前枠、３は筐体の後方部であるバックカバーである。フラットディスプレイパネル１、前枠２、バックカバー３、および、バックカバー３内に収納された電源、制御回路（いずれも図示せず）等を含めて、薄型表示装置本体３０という。
【００１９】
８は支柱であり、前記薄型表示装置本体３０の裏面側に接続され、薄型表示装置本体３０を支えている。薄型表示装置３０と支柱８の接続方法の詳細は後述する。７は、ベースプレートであり、支柱８と接続され、薄型表示装置本体３０が自立するよう作用している。ここで、支柱８とベースプレート７をあわせて支持装置３１とする。
【００２０】
図３は、説明のため図２のバックカバー３を外した状態の斜視図である。４は金属製のシャーシ、５は固定部材Ａ,６は固定部材Ｂ、９はリンクである。シャーシ４はフラットディスプレイパネルと略同じ大きさであり、シャーシ４とフラットパネルディスプレイ１は例えば接着剤などで固定保持されている。また、前枠２、固定部材Ａ５、固定部材Ｂ６はシャーシ４に固定保持されている。支柱８はリンク９にて固定部材Ａ５に接続されている。
【００２１】
次に支柱８と固定部材Ａ５、固定部材Ｂ６との接続部分について説明する。図４は図３の点線で囲われたα部の拡大斜視図である。１０はワッシャー、１１はリンク用ネジＡ、１２はリンク用ネジＢ、１４は支柱固定ネジである。１６，１７、１８はそれぞれ支柱固定用穴Ａ、支柱固定用穴Ｂ、支柱固定用穴Ｃであり、図４では、支柱固定用穴Ａ１６と支柱固定用穴Ｂ１７は支柱固定ネジ１４により見えない状態である。尚、図３、４ではバックカバー3が取り外された様子を示しているが、図２から明らかなように、シャーシに結合された固定部材Ａ５及び固定部材Ｂ６、並びにリンク９はバックカバー３から露出されてように、バックカバー３には固定部材Ａ５及び固定部材Ｂ６の取り付け位置に対応した孔が設けられている。
【００２２】
図に示すようにリンク９は板状の長片形状をしており、一本の端近傍において、固定部材Ａ５にリンク用ネジＡ１１で回動自在に取り付けられている。また、リンク９の他方の端近傍は支柱８にリンク用ネジＢ１２で回転自在に取り付けられている。このとき、リンク９と支柱８の間にはワッシャー１０を挿入している。また固定部材Ａ５は凹形状を為しており、支柱８が収納される形状とされている。固定部材Ａ５は、後述するが、卓上配置時及び壁掛け配置時のいずれにおいても支柱８が収納されるように構成されている。
【００２３】
薄型表示装置を卓上設置する場合、支柱８は、図に示すような最も下部の位置にて、支柱固定ネジ用穴Ａ１６、支柱固定ネジ用穴Ｂ１７を通る支柱固定ネジ１４によって固定部材Ａ５、固定部材Ｂ６と固定される。このとき、図３及び４に示されるように、支柱８の端部は固定部材Ａ５の凹部に嵌めこまれ収納されている。
【００２４】
次に、支柱８とベースプレート７との接続部分について説明する。図５は図３の点線で囲われたβ部の拡大斜視図である。１５はベースプレート固定用ネジ、１３はリンク用ネジＣである。図に示すように、ベースプレート７と支柱８は、２本のベースプレート固定用ネジ１５とリンク用ネジＣ１３によって固定されており、ベースプレート固定用ネジ１５を外すと、リンク用ネジＣ１３を中心に回動可能となる。
【００２５】
図６、図７はベースプレート７近傍の部分側面図であり、図７は図６から説明のため片側の支柱８とベースプレート固定用ネジ１５とリンク用ネジＣ１３を取り外した状態の部分側面図である。２０は卓上型固定ネジ穴、２１は壁掛け型固定ネジ穴、２２はリンク固定ネジ穴である。
【００２６】
薄型表示装置を卓上設置する場合、図６に示すように支柱８をベースプレート固定用ネジ１５を卓上型固定ネジ穴２０を用いてベースプレート７に固定する。これにより、支柱８はベースプレート８に垂直な位置で固定されるため、卓上面２８に薄型表示装置を配置することが可能となる。
【００２７】
上記したように、フラットパネルディスプレイ１や前枠２、バックカバー３などの部材も、剛性の高いシャーシ４に保持され、かつ、支持装置３１も固定部材Ａ５、固定部材Ｂ６を介して剛性の高いシャーシ４に固定される。これにより、大画面化により重量が大きくなった場合においても、薄型表示装置本体３０を強固に支えることが可能となる。
【００２８】
図８,９は本発明の実施例１に係る薄型表示装置を壁など（図示せず）の壁面に設置した状態を示す斜視図であり、図８は表示面側から見た図、図９は裏面側から見た図である。
【００２９】
薄型表示装置を壁掛け配置する場合、図９、１０に示すように、支柱８を上部の位置に配置し、支柱固定ネジ用穴Ｂ１７, 支柱固定ネジ用穴Ｃ１８を用いて、支柱固定ネジ１４によって固定部材Ａ５, 固定部材Ｂ６と固定する。このとき、卓上配置時に前記支柱８と固定部材Ａ５との固定に用いていた支柱固定ネジ用穴Ａ１６は壁面との固定用に用いる。尚、図９、１０から明らかなように、シャーシに結合された固定部材Ａ５及び固定部材Ｂ６、並びにリンク９はバックカバー３から露出されている。
【００３０】
また、ベースプレート７は、卓上配置の状態より９０度回転させて、図９に示すような状態敏、ベースプレート固定ネジ１５を、ベースプレート７の壁掛け型固定ネジ穴２１によって前記支柱８と固定する。これにより、前記支柱８と前記ベースプレート７は平行な位置関係となる。
上記のように固定することで、前記ベースプレート７及び前記支柱８が薄型表示装置本体３０の背面に隠れることが可能となる。
【００３１】
支持装置３１の形態を卓上型から壁掛け型に変更する機構について、図１０を参照して説明する。図１０は卓上配置から壁掛け配置の設定に変更する際の機構を示す側面図である。
まず始めに、卓上配置の状態から支柱８と固定部材Ａ５、固定部材Ｂ６とを固定する支柱固定ネジ１４、前記支柱８とベースプレート７を固定するベースプレート固定用ネジ１５を外す。
次に、リンク９を図１０の矢印Ａに示すように回転させ、前記支柱８を上方に移動させる。それと同時に、前記ベースプレート７を矢印Ｂに示すように、前記ベースプレート７が薄型表示装置本体３０の背面に来るように回転させる。最後に、上方に移動した前記支柱８と固定部材Ａ５、固定部材Ｂ６を支柱固定ネジ１４によって固定し、前記ベースプレート７と前記支柱Ａ８をベースプレート固定用ネジ１５によってそれぞれ固定する。
【００３２】
このとき、図１０に示されるように、支柱８の支柱固定用穴Ｂが設けられる部分は固定部材Ａ５の凹部に嵌めこまれて収納され、更にネジにより固定される。このように、本実施例では、卓上配置時と壁掛け配置時とで支柱８が上下方向（薄型表示装置の垂直方向に）シフトしつつリンク９により回動可能にしている。このため、壁掛け配置時に固定部材Ａ５及びＢ６によって固定される支柱８の位置は、卓上配置時に固定部材Ａ５及びＢ６によって固定される支柱８の位置よりも上側にシフトされるように構成できる。これによって、卓上配置時には支柱８の下端部が薄型表示装置をその前面（表示面）から見たときに前枠２よりも下側に露出していたが、壁掛け時には、その露出されていた支柱８の下端部が前枠２の下端から露出されないようにすることが可能となる。
【００３３】
いずれの場合においても、支柱８の上端部が薄型表示装置をその前面（表示面）から見たときに前枠２の上端から露出されないように支柱８の寸法が設定される。
【００３４】
従って、本実施例によれば、特に壁掛け時において、支柱８を含む支持装置により薄型表示装置の外観が損なわれることが防止される。
【００３５】
更に、ベースプレート７は、壁掛け配置時においては、２つの支柱８間に収納されるようにしてバックカバー３の背面側に移動される。従って、壁掛け時では支持装置を含む薄型表示装置全体の厚さが支柱８の厚さのみ増加することとなりので、薄型表示装置の厚さを大幅に増加させること無く卓上配置と壁掛け配置を両立することができる。
【００３６】
以上のようにして、薄型表示装置の使用形態が簡易的に卓上配置から壁掛け配置に変更することが可能となる。壁掛け配置から、卓上配置に変更する場合は、上記と逆の手順で行えばよい。
【００３７】
図１１は薄型表示装置を壁に固定した状態を示す図である。２３は壁面固定ネジであり、２９は壁面である。壁面固定ネジ２３を前記支柱８の支柱固定ネジ用穴Ａ１６に通して壁面２９に固定することで、薄型表示装置を壁掛け設置することが可能になる。
【００３８】
以上、本発明を搭載した薄型表示装置においては、上記したように、支柱８と固定部材Ａ５をリンク９にて接続することにより、常に支柱８とベースプレート７が薄型表示装置本体３０に接続され、リンク９を回転することにより、支柱８に設けられた支柱固定ネジ用穴Ａ１６、支柱固定ネジ用穴Ｂ１７、支柱固定ネジ用穴Ｃ１８と、固定部材Ａ５、固定部材Ｂ６にある支柱固定ネジ１４用のネジ穴の位置決めが容易にできるという効果もある。
【００３９】
また、支持装置３１を取り変えることなく、卓上配置と壁面配置が容易に変更することが可能となるため、変更時に支持装置３１が紛失することもない。
【実施例２】
【００４０】
次に、本発明の第２の実施形態について図１２、１３に示す。図１２は実施例２に係る薄型表示装置を卓上に設置した状態を裏面側から見た斜視図であり、図１３は図１２の点線で囲われたγ部の拡大斜視図である。
【００４１】
本実施例２は実施例１に対して、リンク９、ワッシャー１０、リンク用ネジＡ１１、リンク用ネジＢ１２、がなく、固定部材Ａ５、支柱８の形状が一部変更している。
【００４２】
２５は固定部材Ｃであり、実施例１の固定部材Ａ５に変わるものであり、２４は支柱Ｂであり、実施例１の支柱８に変わるものである。固定部材Ｃ２８の突起部に貫通穴があり、支柱Ｂ２４の側面にはスライド用長穴２７がある。前記固定部材Ｃ２８の突起部の穴と前記支柱Ｂ２４の前記スライド用長穴２７を１本の支柱スライド用ネジ２５が貫通しており、ナット２６により貫通した裏側で締められている。固定部材Ｂ６は実施例１と同じであるため、説明は省略する。また、支柱Ｂ２４には、支柱８と同様に、支柱固定ネジ用穴Ａ１６、支柱固定ネジ用穴Ｂ１７、支柱固定ネジ用穴Ｃ１８が配置されている。
【００４３】
図に示すように卓上配置する場合は、図に示す状態に支柱Ｂ２４をスライドさせ、支柱固定ネジ用穴Ａ１６部で、支柱固定ネジ１４によって固定部材Ｃ２８に固定し、支柱固定ネジ用穴Ｂ１７部で、支柱固定ネジ１４によって固定部材Ｂ６に固定する。
【００４４】
また、ベースプレート７においては、実施例１と同様であるため、説明は省略する。
【００４５】
そして、壁掛け配置にする場合は、前記ベースプレート７を９０度回転させた後、ベースプレート固定ネジ１５で固定させた後、支柱Ｂ２４を上方向にスライドさせて、支柱固定ネジ用穴Ｂ１７部で、支柱固定ネジ１４によって固定部材Ｃ２８に固定し、支柱固定ネジ用穴Ｃ１８部で、支柱固定ネジ１４によって固定部材Ｂ６に固定することにより、実施例１と同様に、壁掛け配置用の支持装置に変更できる。
【００４６】
この第２実施例では、固定部材Ｃ２８は凹形状を為しており、第１実施例と同様に卓上配置時及び壁掛け配置時のいずれにおいても支柱Ｂ２４が収納されるように構成されている。そして、第１実施例と同様に、卓上配置時と壁掛け配置時とで支柱Ｂ２４が上下方向（薄型表示装置の垂直方向に）シフト（スライド）可能にしている。このため、壁掛け配置時に固定部材Ｃ２８及びＢ６によって固定される支柱Ｂ２４の位置は、卓上配置時に固定部材Ｃ２８及びＢ６によって固定される支柱Ｂ２４の位置よりも上側にシフトされるように構成できる。これによって、上記と同様、壁掛け時には支柱Ｂ２４の下端部が前枠２の下端から露出されないようにすることが可能となる。当然、支柱８の上端部が前枠２の上端から露出されないように支柱８の寸法が設定される。
【００４７】
従って、本実施例でも、壁掛け時において支柱８を含む支持装置により薄型表示装置の外観が損なわれることが防止される。
【００４８】
更に、ベースプレート７は、第１実施例と同様、壁掛け配置時においては、２つの支柱８間に収納されるようにしてバックカバー３の背面側に移動される。従って、壁掛け時では支持装置を含む薄型表示装置全体の厚さが支柱８の厚さのみ増加することとなりので、薄型表示装置の厚さを大幅に増加させること無く卓上配置と壁掛け配置を両立することができる。
【００４９】
以上、本発明の第２の実施例を搭載した薄型表示装置においては、第１の実施例と同様に、支柱Ｂ２４と固定部材Ｃ２８を支柱スライド用ネジ２５とナット２６にて接続することにより、常に支柱Ｂ２４とベースプレート７が薄型表示装置本体３０に接続されるため、変更時に支持装置３１が紛失することもない。
【００５０】
また、実施例１と同様に、フラットパネルディスプレイ１や前枠２、バックカバー３などの部材も、剛性の高いシャーシ４に保持され、かつ、支持装置３１も固定部材Ｃ２８、固定部材Ｂ６を介して剛性の高いシャーシ４に固定される。これにより、大画面化により重量が大きくなった場合においても、薄型表示装置本体３０を強固に支えることが可能となる。
【図面の簡単な説明】
【００５１】
【図１】実施例１に係る薄型表示装置を卓上に設置した状態を示し、表示面側から見た斜視図である。
【図２】実施例１に係る薄型表示装置を卓上に設置した状態を示し、裏面側から見た斜視図である。
【図３】図２において、バックカバー３を外した状態の斜視図である。
【図４】図３においてα部の拡大斜視図である。
【図５】図３においてβ部の拡大斜視図である。
【図６】実施例１に係る薄型表示装置を卓上に設置した状態を示し、ベースプレート７付近の拡大側面図である。
【図７】実施例１に係る薄型表示装置を卓上に設置した状態を示し、手前側の支柱８を省略したベースプレート７付近の拡大側面図である。
【図８】実施例１に係る薄型表示装置を壁面に設置した状態を示し、表示面側から見た斜視図である。
【図９】実施例１に係る薄型表示装置を壁面に設置した状態を示し、裏面側から見た斜視図である。
【図１０】実施例１に係る薄型表示装置において、卓上型から、壁掛け型へ変更する際のリンク９及び支柱８、ベースプレート７の回転機構を示す側面図である。
【図１１】実施例１に係る薄型表示装置を壁面に掛けた状態を示す側面図である。
【図１２】実施例２に係る薄型表示装置を卓上に設置した状態を示し、裏面側から見た斜視図である。
【図１３】図１２においてγ部の拡大斜視図である。
【符号の説明】
【００５２】
１…フラットディスプレイパネル、２…前枠、３…バックカバー、４…シャーシ、５…固定部材Ａ、６…固定部材Ｂ、７…ベースプレート、８、２４…支柱、９…リンク、１０…ワッシャー、１１…リンク用ネジＡ、１２…リンク用ネジＢ、１３…リンク用ネジＣ、１４…支柱固定ネジ、１５…ベースプレート固定ネジ、１６…支柱固定ネジ用穴Ａ、１７…支柱固定ネジ用穴Ｂ、１８…支柱固定ネジ用穴Ｃ、１９…ベースプレート固定用穴、２０…卓上型固定ネジ穴、２１…壁掛け型固定ネジ穴、２２…リンク用ネジ固定ネジ穴、２３…壁面固定ネジ、２４…支柱Ｂ、２５…支柱スライド用ネジ、２６…ナット、２７…スライド用長穴、２８…卓上面、２９…壁面、３０…薄型表示装置本体
【図１】
2009216739.tif 000003
【図２】
2009216739.tif 000004
【図３】
2009216739.tif 000005
【図４】
2009216739.tif 000006
【図５】
2009216739.tif 000007
【図６】
2009216739.tif 000008
【図７】
2009216739.tif 000009
【図８】
2009216739.tif 000010
【図９】
2009216739.tif 000011
【図１０】
2009216739.tif 000012
【図１１】
2009216739.tif 000013
【図１２】
2009216739.tif 000014
【図１３】
2009216739.tif 000015